(57)【特許請求の範囲】
【請求項１】
装置本体に測位手段を接続し、地図とともに前記測位手段からの位置情報を表示する地図表示装置であって、操作を行うための入力手段と、地図や現在位置などを表示するための表示手段と、外部記憶手段の地図情報の一部を記憶することの可能なＩＣ−ＣＡＲＤを駆動するＩＣ−ＣＡＲＤドライブ手段と、前記測位手段より得た位置情報を基に外部記憶手段内の地図情報を検索したり外部記憶手段内の地図データの必要な部分だけを抽出してＩＣ−ＣＡＲＤに記憶させたりする情報処理手段とを、一体的に構成してポータブル化したことを特徴とする地図表示装置。
【発明の詳細な説明】
【０００１】
【産業上の利用分野】
本発明は、自動車などで走行補助装置として用いられる地図表示装置に関するものである。
【０００２】
【従来の技術】
近年、自動車などで走行補助装置として目的地までのナビゲーションを行うためにＧＰＳ（グローバル・ポジショニング・システム：人工衛星から送られてくる位置情報を用いて自車位置を算出するシステム）などを用いた地図表示装置が構築されている。一般的な地図表示装置では、ＣＤ−ＲＯＭ（データ記憶用の光ディスク）などの外部記憶装置に格納されている地図や各種情報とＧＰＳより得られた自車位置を併せて、ＬＣＤ（液晶表示装置）などの地図表示装置に表示させることにより実現している。以下に、従来の地図表示装置について説明する。
【０００３】
図８は従来の地図表示装置の機能ブロック図である。図８において、８０１はユーザが情報を選択するための入力手段、８０２は地図や様々な情報を格納しているＣＤ−ＲＯＭなどの地図情報記憶部、８０３は地図情報記憶部８０２に格納されている地図や各種情報を読み出すための情報読み出し手段、８０４はＧＰＳなど自車の現在位置を算出するための現在位置算出手段、８０５は、現在位置算出手段８０４で算出された現在位置を中心に地図を表示させ、かつ各種情報位置を併せて表示させるための表示手段である。
【０００４】
次に、図９を用いて説明する。基本的な構成はＧＰＳ信号を受信し、処理する手段を含んだ地図表示装置の本体９０１と、実際に地図を表示する地図表示装置のモニター９０２、それに地図表示装置のアンテナ９０３からなっている。地図情報や各種情報の記憶媒体としてはＣＤ−ＲＯＭやＩＣ−ＣＡＲＤなどが用いられている。記憶媒体としてＣＤ−ＲＯＭを用いたシステムの場合、ＣＤ−ＲＯＭが１２センチで５４０メガバイトの高容量であるため、詳細な地図情報を記憶させることができ、また安価であることから一般によく用いられているが、ＣＤの光ピックアップを用いたドライブユニットを使用するため、小型化を図ることに限界があるのと、光ピックアップが振動に弱いので、強い振動や衝撃のかかるおそれのあるポータブルユースには不向きな面がある。また、ＩＣ−ＣＡＲＤを記憶媒体として用いるシステムは小型化を図るためにはうってつけだが、記憶容量の割に高価であるため、詳細な地図情報を入れるためにはＣＤ−ＲＯＭだと１枚ですむような情報量も複数のＩＣ−ＣＡＲＤに分散させて記憶させる必要があり、ユーザはＩＣ−ＣＡＲＤ交換の手間と、入手のための費用がかかることになる。
【０００５】
【発明が解決しようとする課題】
上記のように従来の地図表示装置では、地図情報は詳細だがサイズの大きなシステムをとるか、地図情報は詳細でないがサイズの小さいシステムをとるか選択を迫られていた。
【０００６】
本発明はユーザが目的に応じてシステムの選択が可能でかつポータブル化した地図表示装置を提供することを目的とするものである。
【０００７】
【課題を解決するための手段】
本発明は上記目的を達成するために、装置本体に測位手段を接続し、地図とともに前記測位手段からの位置情報を表示する地図表示装置であって、操作を行うための入力手段と、地図や現在位置などを表示するための表示手段と、外部記憶手段の地図情報の一部を記憶することの可能なＩＣ−ＣＡＲＤを駆動するＩＣ−ＣＡＲＤドライブ手段と、前記測位手段より得た位置情報を基に外部記憶手段内の地図情報を検索したり外部記憶手段内の地図データの必要な部分だけを抽出してＩＣ−ＣＡＲＤに記憶させたりする情報処理手段とを、一体的に構成してポータブル化したことを特徴とする。
【０００９】
【作用】
したがって、本発明によれば、装置本体と測位手段の組合せによって、ポータブル化した地図表示装置を提供できる。
【００１０】
【実施例】
以下、本発明の一実施例について図面を参照しながら説明する。図１は本発明の一実施例のポータブルＧＰＳ地図表示装置の機能ブロック図である。図１において、１０１は操作を行うための入力手段、１０２は地図や現在位置などを表示するための表示手段、１０５は地図情報や各種情報を記憶しているＣＤ−ＲＯＭドライブ手段、１０６はＣＤ−ＲＯＭの情報の一部を記憶することの可能なＩＣ−ＣＡＲＤドライブ手段、１０４は、ＧＰＳユニットとの通信を行うための本体側通信手段、１０３はＧＰＳユニット１１１より送られてきた位置情報を基にＣＤ−ＲＯＭ内の地図情報を検索したり、ＣＤ−ＲＯＭ内の地図データの必要な部分だけを抽出し、ＩＣ−ＣＡＲＤに記憶させたりする情報処理手段である。また、これらで構成された１１０は本体Ａである。次に、本体Ｂは本体Ａ１１０よりＣＤ−ＲＯＭドライブ手段１０５を省略したＩＣ−ＣＡＲＤよりの情報だけを用いて地図表示を行うようにしたものであり、他の構成は本体Ａと同様であるため、ここでは説明を省略する。１１１のＧＰＳユニットは、ＧＰＳアンテナ，ＧＰＳ信号受信手段１０９，位置算出手段１０８，ＧＰＳ側通信手段１０７によって構成されており、ＧＰＳユニット内部で自分の位置を算出し、デジタルデータとして本体Ａもしくは本体Ｂと通信を行う。
【００１１】
図２は本発明の一実施例を実現させる回路ブロック図である。図２において、２００はバスライン、２０１は中央処理装置、２０２はキー入力を行うためのキーボード、２０３，２０４は表示を行うためのＬＣＤとＶＲＡＭ、２０５はＲＡＭ、２０６はＲＯＭ、２０７，２０８は地図情報や各種情報を記憶しているＣＤ−ＲＯＭおよびＩＣ−ＣＡＲＤ、２０９は音声出力のためのスピーカー、２１０はＧＰＳ信号を受信し位置を算出するためのＧＰＳである。
【００１２】
図３から図７は本発明の一実施例の機構的な構成図であり、図を追って説明する。図３は本体ＡおよびＧＰＳユニットの組立構成斜視図であり、まず、本体Ａの構成について説明する。３０１は本体カバーであり、ＬＣＤ３０２，メイン基板３０３，操作キー３０４は、この本体カバー３０１に取り付けられている。また、３０５はＩＣ−ＣＡＲＤコネクタであり、メイン基板３０３上に実装されている。３０６はＣＤ−ＲＯＭドライブユニットであり、メカベース３０７に可動するように取り付けられている。また、ＣＤカバー３０８は、ＣＤカバー３０８の下部を中心として開閉するようにメカベース３０７に取り付けられている。メカベース３０７は本体カバー３０１に嵌合して本体Ａを構成している。次に、ＧＰＳユニットについて説明する。ＧＰＳユニットはＧＰＳアンテナ３１０が取り付けられたＧＰＳ基板３１１をＧＰＳユニット上シャーシ３０９とＧＰＳユニット下シャーシ３１２で挟み込む構造となっている。
【００１３】
図４は本体Ａの斜視図であり、ＣＤ−ＲＯＭ４０３の挿抜はＣＤカバー３０８を開いた状態で手動で行い、ＩＣ−ＣＡＲＤの挿抜はメカベース３０７に取り付けられたカード挿抜穴４０４より行う。図５は本体Ｂの斜視図であり、その構成は図３のＣＤ−ＲＯＭドライブユニット３０６を取り外した構成となっている。このことにより、本体Ａの本体Ａ厚さｔ４０１と比べ、本体Ｂの本体Ｂ厚さｔ５０１を薄く構成することができる。
【００１４】
図６は本体Ａもしくは本体Ｂと、ＧＰＳユニットとの脱着を示した図である。６０１はガイドレール、６０２はガイド、６０３は裏面に接点を持ったＧＰＳユニットコネクタ部、６０４は接点各々が板バネになっている本体コネクタ部である。アンテナユニットのガイドレール６０１を本体のガイド６０２に嵌合させ押し込むと、ＧＰＳユニットコネクタ部６０３は本体コネクタ部６０４と嵌合していく。このとき、ＧＰＳユニットコネクタ部６０３の裏面の接点は、本体コネクタ部６０４の板ばねになっている接点と各々嵌合し、本体へのＧＰＳユニットの装着は完結する。ここで本体Ａと本体Ｂは同様な取り付けとなっており、アンテナユニットの共有が可能となる。
【００１５】
図７は車や船舶で本発明のポータブルＧＰＳ地図表示装置を用いた場合を示した図であり、７０１，７０２は本体およびＧＰＳユニットと取り付けを同じにしたマウントＡ，マウントＢであり、７０３は延長ケーブルである。上述のようにＧＰＳユニット内部で自分の位置を算出し、デジタルデータとして本体Ａもしくは本体Ｂと通信を行うため、ケーブルの延長だけでＧＰＳユニットの取り付けが自在となり、ユーザが様々な使用パターンを選択できることになる。
【００１６】
【発明の効果】
上記の実施例から明らかなように、地図表示装置本体と測位手段の組合せによって、ポータブル化した地図表示装置を実現することができる効果を有する。
【図面の簡単な説明】
【図１】本発明の一実施例におけるポータブルＧＰＳ地図表示装置の機能ブロック図である。
【図２】本発明の一実施例におけるポータブルＧＰＳ地図表示装置の回路ブロック図である。
【図３】本発明の一実施例における地図表示装置の組立構成斜視図である。
【図４】本発明の一実施例の本体Ａの斜視図である。
【図５】本発明の一実施例の本体Ｂの斜視図である。
【図６】本発明の一実施例のＧＰＳユニット脱着動作を示す斜視図である。
【図７】本発明の一実施例の延長ケーブルを用いた場合の斜視図である。
【図８】従来の地図表示装置の機能ブロック図である。
【図９】従来の地図表示装置の斜視図である。
【符号の説明】
１０１…入力手段、  １０２…表示手段（出力手段）、  １０３…情報処理手段、  １０４…本体側通信手段、  １０５…ＣＤ−ＲＯＭドライブ手段（ＣＤ−ＲＯＭ  ＤＲＩＶＥ手段）、  １０６…ＩＣ−ＣＡＲＤドライブ手段（ＩＣ−ＣＡＲＤ  ＤＲＩＶＥ手段）、  １０７…ＧＰＳ側通信手段、  １０８…位置算出手段、  １０９…ＧＰＳ信号受信手段、  １１０…本体Ａ、  １１１…ＧＰＳユニット、  ２００…バスライン、  ２０１…中央処理装置、  ２０２…キーボード、  ２０３，３０２…ＬＣＤ、  ２０４…ＶＲＡＭ、  ２０５…ＲＡＭ、  ２０６…ＲＯＭ、  ２０７，４０３…ＣＤ−ＲＯＭ、  ２０８，４０２…ＩＣ−ＣＡＲＤ、  ２０９…スピーカー、  ２１０…ＧＰＳ、  ３０１…本体カバー、  ３０３…メイン基板、  ３０４…操作キー、  ３０５…ＩＣ−ＣＡＲＤコネクタ、  ３０６…ＣＤ−ＲＯＭドライブユニット、  ３０７…メカベース、  ３０８…ＣＤカバー、  ３０９……ＧＰＳユニット上シャーシ、  ３１０…ＧＰＳアンテナ、  ３１１…ＧＰＳ基板、  ３１２…ＧＰＳユニット下シャーシ、  ４０１…本体Ａ厚さｔ、  ４０４…カード挿抜穴、  ５０１…本体Ｂ厚さｔ、  ６０１…ガイドレール、  ６０２…ガイド、  ６０３…ＧＰＳユニットコネクタ部、  ６０４…本体コネクタ部、  ７０１…マウントＡ、  ７０２…マウントＢ、  ７０３…延長ケーブル。
【図１】
0003586234.tif 000002
【図２】
0003586234.tif 000003
【図３】
0003586234.tif 000004
【図４】
0003586234.tif 000005
【図５】
0003586234.tif 000006
【図６】
0003586234.tif 000007
【図７】
0003586234.tif 000008
【図８】
0003586234.tif 000009
【図９】
0003586234.tif 000010